(57)【要約】【課題】表示入力装置４を備えた自動取引装置１において、ペン４１以外による誤入力を確実に防止し、フォトセンサ１００ａを内蔵した液晶パネル１００の損傷も防止し、装置寿命を延ばすようにする。【解決手段】表面を保護ガラス１２６で保護されフォトセンサ１００ａを内蔵した液晶パネル１００からなる表示入力装置の座標入力方法であって、ペン４１入力のときは所定の径より小さい円形状の画像４１ｓを取得したときのみ入力ありと判定し、入力座標を抽出するようにした。【選択図】図１
2011123669.tif 000002
【特許請求の範囲】
【請求項１】
フォトセンサを内蔵した液晶パネルからなる表示入力装置の座標入力方法であって、
ペン入力のときは所定の径より小さい画像のときのみ入力ありと判定し、入力座標を抽出するようにしたことを特徴とする表示入力装置の座標入力方法。
【請求項２】
前記液晶パネルの表面を物理的に保護する保護部材を備え
請求項１記載の座標入力方法を用いて座標入力するようにしたことを特徴とする表示入力装置。
【請求項３】
請求項２記載の表示入力装置を備えたことを特徴とする自動取引装置。
【発明の詳細な説明】
【技術分野】
【０００１】
本発明は、現金自動預払機等の自動取引装置において顧客が操作する表示入力装置の入力座標を検出する技術に関するものである。
【背景技術】
【０００２】
従来、自動取引装置などの顧客が操作する表示入力装置において、ペンでも指でも操作できるようにするために抵抗膜フィルムを２枚重ね、指で操作する場合は押圧力が弱いため表側の１枚目の抵抗膜フィルムにより座標を検知し、ペン入力の場合は押圧力が強いため１枚目および２枚目の抵抗膜フィルムの座標を用いて座標を検知するようにし、いずれの入力でも操作ができるようにしていた（例えば、特許文献１参照）。
【０００３】
また、ペンで入力する際に手や指の接触による誤入力を防止するために、前記特許文献１の技術と同様に抵抗膜フィルムを２枚重ね、２枚目の抵抗膜フィルムの座標によりペン入力の座標を抽出するようにしていた（例えば、特許文献２参照）。
【先行技術文献】
【特許文献】
【０００４】
【特許文献１】特開２００１−２２２３７８号公報
【特許文献２】特開２００１−４３００３号公報
【発明の概要】
【発明が解決しようとする課題】
【０００５】
しかしながら、上記従来の表示入力装置では、表面がフィルムのため、先端が尖ったペンで操作することにより耐久性の低いフィルムを傷つけてしまい、表示入力装置の寿命が短くなるという問題があった。
【課題を解決するための手段】
【０００６】
本発明は、前述の課題を解決するため次の構成を採用する。すなわち、フォトセンサを内蔵した液晶パネルからなる表示入力装置の座標入力方法であって、ペン入力のときは所定の径より小さい画像のときのみ入力ありと判定し、入力座標を抽出するようにした。
【発明の効果】
【０００７】
本発明の自動取引装置によれば、フォトセンサを内蔵した液晶パネルからなる表示入力装置の座標入力方法であって、ペン入力のときは所定の径より小さい画像のときのみ入力ありと判定し、入力座標を抽出するようにしたので、ペン以外の誤入力を確実に防止し、フォトセンサ内蔵液晶パネルの損傷も防止でき、装置寿命も延ばすことができる。
【図面の簡単な説明】
【０００８】
【図１】実施例１の自動取引装置の概観斜視図である。
【図２】実施例１の表示入力装置の構成図（斜視図）である。
【図３】実施例１の表示入力装置の構成図（断面図）である。
【図４】実施例１の自動取引装置の制御系ブロック図である。
【図５】実施例１の表示入力装置の動作説明図である。
【発明を実施するための形態】
【０００９】
以下、本発明に係わる実施の形態例を、図面を用いて説明する。図面に共通する要素には同一の符号を付す。なお、以下の説明では、現金自動預払機を例として説明するが、切符、定期等の発券機などの自動券売機などの自動取引装置にも本発明を容易に適用することができる。
【実施例１】
【００１０】
（構成）
（自動取引装置の外観構成）
実施例１の自動取引装置１は、図１のような外観をしており、硬貨入出金口２、紙幣入出金口３、表示入力装置として機能しフォトセンサ内蔵液晶パネルからなる表示入力装置４、通帳挿入口５、カード挿入口６を備えている。
【００１１】
紙幣入出金口３は、紙幣が投入されるとともに、これらが排出される開口部である。紙幣入出金口３には、シャッタが設けられシャッタが駆動されることにより紙幣入出金口３が開閉される。
【００１２】
カード挿入口６は、カードを用いて取引を行う場合、当該カードがここから挿入され、取引が終了するとここから排出される。通帳挿入口５は、取引で使用される通帳がここから挿入され、取引が終了するとここから排出される。また、硬貨入出金口２は、硬貨が投入または排出される開口部である。
【００１３】
そして、紙幣入出金口３の奥部には、後述の紙幣の入出金処理を行う紙幣処理部２６が設けられており、カード挿入口６の奥部には後述のカード処理部２１が設けられている。
【００１４】
また、硬貨入出金口２の奥部には、硬貨の入出金処理を行う後述の硬貨処理部２５が設けられており、通帳挿入出口５の奥部には、後述の通帳処理部２３が設けられている。
【００１５】
表示入力装置４は、後述記載の構成となっており、操作ガイダンス等が表示され、そのガイダンス等に従って顧客がペンや指の操作により各種の入力を行うことができるようになっている。
【００１６】
上記表示入力装置４は、図２の斜視図および図３の断面図に示したような構造となっており、通常の液晶パネル部分としての、バックライト１２０、バックライト１２０の上面および表面に設けられた偏向板１２１および１２５、各画素との電気的接続回路として機能するアレイ基板１２２、各画素のカラーフィルタとして機能するカラーフィルタ基板１２４とからなる。
【００１７】
そして、上記フォトセンサ内蔵液晶パネル１００の上部には、図３に示したように、ペンで操作しても傷などが発生しないように透明な保護ガラス１２６が設けられている。
【００１８】
そして、フォトセンサ内蔵型としての液晶・光センサ層１２３は、図２右側に示したように液晶の画素（赤）１０１ｒ、画素（緑）１０１ｇ、画素（青）１０１ｂに加えて、フォトセンサ素子１００ａがそれぞれの画素に設けられた構成となっており、表示機能とともにスキャナとしての機能をも有する構成となっている。
【００１９】
そして、これらの液晶画素およびフォトセンサ素子が、それぞれフォトセンサ駆動回路１００ｄ、液晶駆動回路１０１ｄにより駆動されて、液晶表示およびフォトセンサが動作するようになっている。
【００２０】
（自動取引装置の内部構成）
実施例１の自動取引装置の内部は、図４に示したように、後述する各部の制御を行う主制御部２０と、前述の表示入力装置として機能する表示入力装置４と、キャッシュカード等に記録された情報のリードライトを行うカード処理部２１と、音声やブザーによりガイダンスを出力する音声案内部２２と、通帳の磁気ストライプのリードライトおよび通帳への印字制御を行う通帳処理部２３と、取引内容の明細票を印字して出力する明細票処理部２４と、図示しない硬貨入出金金庫や硬貨装填庫を備え硬貨の入出金制御を行う硬貨処理部２５と、図示しない紙幣入出金金庫や紙幣装填庫を備え紙幣の入出金制御を行う紙幣処理部２６と、からなる。
【００２１】
さらに、各部に電源を供給する電源部２７、主制御部の記憶部として機能し、プログラムやペンによる入力であることを判定するための閾値などの制御用パラメータを記憶するメモリ部２８と、図示しないホストコンピュータとのインタフェイスを制御するインタフェイス部２９を有する。
【００２２】
（動作）
以上の構成により実施例１の自動取引装置１は以下のように動作する。この動作を、図５の表示入力装置の動作説明図を用いて詳細に説明する。
【００２３】
まず、顧客が自動取引装置１に接近すると、表示入力装置４に取引選択画面を表示する。すると、顧客は、所望の取引ボタンを指４２で押下する。
【００２４】
この場合、図５右側に示したように、フォトセンサ１００ａにより取得される画像はスキャン画像４２ｓのように所定の大きさの径以上の円形状の画像が取得されるので、指４２による押下があったと判定し、押下された選択ボタンの取引を開始する。
【００２５】
このとき、フォトセンサ１００ａにより取得される画像が、スキャン画像４１ｓのように所定の径より小さい径の円形状の画像が取得された場合は、指以外による操作であるので、入力とせず、選択ボタンは押下されなかったとするのがよい。
【００２６】
次に、例えば、本人確認のために、サイン入力などのペン４１のみの入力を行う場合では、図５左側に示したように所定の径より小さい円形状のスキャン画像４１ｓが取得された場合のみ、入力されたと判定し、所定の径以上の大きなスキャン画像４２ｓは入力としないようにする。
【００２７】
そして、サインにより取得した座標列をインタフェイス部２９を介してホストコンピュータに送信しサイン照合を実施し、本人のサインと一致したときは、選択された取引を開始し所望とする取引を実施する。なお、サインの座標データなどはセキュリティ上、所定の暗号化をするとよいが、本発明と直接関係しないので、その詳細な説明は省略する。
【００２８】
（実施例１の効果）
以上詳細に述べたように実施例１の自動取引装置によれば、表示入力装置の操作により取引を行う自動取引装置において、当該表示入力装置を透明な保護ガラスで表面を覆ったフォトセンサ内蔵液晶パネルにて成し、ペン入力のときは所定の径より小さい画像のときのみ入力ありと判定するようにしたので、ペン以外の誤入力を確実に防止し、フォトセンサ内蔵液晶パネルの損傷も防止でき、装置寿命を延ばすことができる。
【００２９】
《その他の変形例》
以上の実施例の説明では、ペンの構造については説明しなかったが、プラスティックなどで先端を尖らせた通常のペンとしてもよいし、先端から所定の色の光を発光させる構造としてもよいし、光の色や強さを変化させて発光させる構造としてもよい。この場合、所定の光の入力があったときにペン入力とし、或いは所定の変化があったときにペン入力と判定するようにすればよい。
【産業上の利用可能性】
【００３０】
以上述べたように、本発明は、顧客が操作する表示入力装置を有する現金自動預払機等の自動取引装置に広く利用することができる。
【符号の説明】
【００３１】
１    自動取引装置
４    表示入力装置
２０  主制御部
２８  記憶部
２９  インタフェイス部
４１  入力ペン
４２  指
４１ｓ、４２ｓ  スキャン画像
１００  フォトセンサ内蔵液晶パネル
１００ａ  フォトセンサ素子
１０１ｒ、１０１ｇ、１０１ｂ  液晶画素
１２６  保護ガラス
【図１】
2011123669.tif 000003
【図２】
2011123669.tif 000004
【図３】
2011123669.tif 000005
【図４】
2011123669.tif 000006
【図５】
2011123669.tif 000007